(57)【要約】【課題】ケーシング内の定置洗浄が容易であり、また、１２０℃〜１３０℃の蒸気を用いた定置滅菌を行う場合に、ステータ内部の滅菌を可能とし、ポンプが運転状態であってもステータの損傷を防止し得る一軸偏心ねじポンプを提供する。【解決手段】この一軸偏心ねじポンプ１は、ロータ２とステータ４相互の対向する空間により画成されるキャビティ３が一か所のみ設けられるものであって、蒸気を用いた定置滅菌をおこなうときに、一か所のキャビティ３がステータ４の吸入側または吐出側に連通する非密閉状態となるように、キャビティ３が密閉空間となる位相を除外した所定角度にロータ２を断続的に回転させて、供回りするステータ４を断続的に所定角度ずつ回転させる。【選択図】図２
2014005767.tif 000002
【特許請求の範囲】
【請求項１】
雌ねじ状の内面を有するステータと、該ステータに雄ねじ状の螺旋部が内挿されるロータとを備え、前記ロータと前記ステータ相互の対向する空間によりキャビティが画成され、前記ステータの軸心に対して前記ロータが回転しつつ偏心運動を行うことによって、吸入側から前記キャビティ内に吸い込まれた粘性液を吐出側へ圧送するように構成された一軸偏心ねじポンプを定置滅菌する方法であって、
前記キャビティが一か所のみ設けられるものに適用し、蒸気を用いた定置滅菌をおこなうときに、前記一か所のキャビティが前記ステータの吸入側または吐出側に連通する非密閉位置となるように、前記ロータを前記キャビティが密閉空間となる位相を除外した所定角度に断続的に回転させることを特徴とする一軸偏心ねじポンプの定置滅菌方法。
【請求項２】
前記一軸偏心ねじポンプが、雌ねじ状の内面を有する回転可能に支承されたステータと、該ステータに雄ねじ状の螺旋部が内挿されるとともに直線状の基端部がモータの駆動軸に直結されたロータとを備え、前記ロータの回転軸線が前記ステータの回転軸線に対して所定距離だけ偏心して配置されるとともに、前記ロータの回転力で前記ステータを前記ロータの二分の一の回転数で追従回転させるように構成されたものであり、
前記ロータを前記所定角度に断続的に回転させることで、供回りするステータを断続的に所定角度ずつ回転させることを特徴とする請求項１に記載の一軸偏心ねじポンプの定置滅菌方法。
【請求項３】
雌ねじ状の内面を有するステータと、該ステータに雄ねじ状の螺旋部が内挿されるロータとを備え、前記ロータと前記ステータ相互の対向する空間によりキャビティが画成され、前記ステータの軸心に対して前記ロータが回転しつつ偏心運動を行うことによって、吸入側から前記キャビティ内に吸い込まれた粘性液を吐出側へ圧送するように構成された一軸偏心ねじポンプにおいて、
前記キャビティが一か所のみ設けられる一軸偏心ねじポンプであって、
前記モータを駆動するモータ駆動部を備え、該モータ駆動部が、蒸気を用いた定置滅菌をおこなうための定置滅菌制御手段を有し、該定置滅菌制御手段は、前記一か所のキャビティが前記ステータの吸入側または吐出側に連通する非密閉位置となるように、前記ロータを前記キャビティが密閉空間となる位相を除外した所定角度に断続的に回転させることを特徴とする一軸偏心ねじポンプ。
【請求項４】
前記一軸偏心ねじポンプは、雌ねじ状の内面を有する回転可能に支承されたステータと、該ステータに雄ねじ状の螺旋部が内挿されるとともに直線状の基端部がモータの駆動軸に直結されたロータとを備え、前記ロータの回転軸線が前記ステータの回転軸線に対して所定距離だけ偏心して配置されるとともに、前記ロータの回転力で前記ステータを前記ロータの二分の一の回転数で追従回転させるように構成されており、
前記定置滅菌制御手段は、前記ロータを前記所定角度に断続的に回転させることで、供回りするステータを断続的に所定角度ずつ回転させることを特徴とする請求項３に記載の一軸偏心ねじポンプ。
【請求項５】
前記ステータ両側から前記ステータ内に蒸気を導入する蒸気導入管路が配管されていることを特徴とする請求項３または４に記載の一軸偏心ねじポンプ。
【発明の詳細な説明】
【技術分野】
【０００１】
本発明は、食料原料などの粘性液（輸送物）を定量圧送する一軸偏心ねじポンプに関する。
【背景技術】
【０００２】
従来、この種の一軸偏心ねじポンプとして、例えば特許文献１に開示されるものがある。図４に例示するように、この一軸偏心ねじポンプ１００は、雌ねじ状の内面をもつ固定された弾性材料製のステータ１１２に雄ねじ状のロータ１０３が内装されている。ロータ１０３とステータ１１２との対向空間によりキャビティ（密封空間）１２０が画成される。ロータ１０３は、自在継手（ユニバーサルジョイント）１０６を介して駆動軸１０２に連結され、駆動軸１０２は、不図示のモータのシャフトに連結される。
【０００３】
この一軸偏心ねじポンプ１００によれば、駆動軸１０２をモータによって回転させることにより、ステータ１１２の軸心に対してロータ１０３が回転しつつ偏心運動を行うことによって粘性液を吸入側１１３から吸込み部１１５に導き、キャビティ１２０内に吸い込まれた粘性液を吐出側１１４へ圧送することができる。
【先行技術文献】
【特許文献】
【０００４】
【特許文献１】特開昭５９−１５３９９２号公報
【発明の概要】
【発明が解決しようとする課題】
【０００５】
しかしながら、この一軸偏心ねじポンプ１００は、１２０℃〜１３０℃の蒸気を用いた定置滅菌（SIP：Sterilizing In Place)を行う場合、１２０℃〜１３０℃の蒸気中でポンプを運転すると、高温によりロータ１０３とステータ１１２相互の摺動抵抗が大きくなることから、ステータ１１２が損傷し易い。そのため、定置滅菌をポンプ停止状態で行うことになるが、ロータ１０３の吐出側１１４と吸込み部１１５の側とは、密封空間とされたキャビティ１２０によって分断されているため、蒸気を流すことができず、ステータ内部の滅菌を完全に行うことが難しかった。
【０００６】
また、ステータ１１２が固定されているので、ロータ１０３が大きな反力を受けながら回転するため、ステータ１１２内面の直線状部分が磨耗し易く、性能が早期に低下する欠点がある。特に、前述した定置滅菌時のポンプ運転に伴うステータ１１２の損傷はより顕著に現れる。
さらには、ロータ１０３の回転軸線がステータ１１２の軸線を中心として公転することから、駆動軸１０２とロータ１０３との間に自在継手１０６を介在させる必要がある。そのため、自在継手１０６の内在するケーシング１３０内は長い流路とならざるを得ず、洗浄が難しく定置洗浄(CIP： Cleaning In Place）を行う上で難がある。
【０００７】
そこで、本発明は、このような問題点に着目してなされたものであって、食料原料などの粘性液（輸送物）を定量圧送する一軸偏心ねじポンプにおいて、ケーシング内の定置洗浄が容易であり、また、１２０℃〜１３０℃の蒸気を用いた定置滅菌を行う場合に、ステータ内部の滅菌を可能とし、ステータの損傷を防止し得る一軸偏心ねじポンプの定置滅菌方法および一軸偏心ねじポンプを提供することを目的としている。
【課題を解決するための手段】
【０００８】
上記課題を解決するために、本発明の一態様に係る一軸偏心ねじポンプの定置滅菌方法は、雌ねじ状の内面を有するステータと、該ステータに雄ねじ状の螺旋部が内挿されるロータとを備え、前記ロータと前記ステータ相互の対向する空間によりキャビティが画成され、前記ステータの軸心に対して前記ロータが回転しつつ偏心運動を行うことによって、吸入側から前記キャビティ内に吸い込まれた粘性液を吐出側へ圧送するように構成された一軸偏心ねじポンプを定置滅菌する方法であって、前記キャビティが一か所のみ設けられるものに適用し、蒸気を用いた定置滅菌をおこなうときに、前記一か所のキャビティが前記ステータの吸入側または吐出側に連通する非密閉位置となるように、前記ロータを前記キャビティが密閉空間となる位相を除外した所定角度に断続的に回転させることを特徴とする。
【０００９】
ここで、本発明の一態様に係る一軸偏心ねじポンプの定置滅菌方法において、前記一軸偏心ねじポンプが、雌ねじ状の内面を有する回転可能に支承されたステータと、該ステータに雄ねじ状の螺旋部が内挿されるとともに直線状の基端部がモータの駆動軸に直結されたロータとを備え、前記ロータの回転軸線が前記ステータの回転軸線に対して所定距離だけ偏心して配置されるとともに、前記ロータの回転力で前記ステータを前記ロータの二分の一の回転数で追従回転させるように構成されたものであり、前記ロータを前記所定角度に断続的に回転させることで、供回りするステータを断続的に所定角度ずつ回転させることは好ましい。
【００１０】
また、本発明の一態様に係る一軸偏心ねじポンプは、雌ねじ状の内面を有するステータと、該ステータに雄ねじ状の螺旋部が内挿されるロータとを備え、前記ロータと前記ステータ相互の対向する空間によりキャビティが画成され、前記ステータの軸心に対して前記ロータが回転しつつ偏心運動を行うことによって、吸入側から前記キャビティ内に吸い込まれた粘性液を吐出側へ圧送するように構成された一軸偏心ねじポンプにおいて、前記キャビティが一か所のみ設けられる一軸偏心ねじポンプであって、前記モータを駆動するモータ駆動部を備え、該モータ駆動部が、蒸気を用いた定置滅菌をおこなうための定置滅菌制御手段を有し、該定置滅菌制御手段は、前記一か所のキャビティが前記ステータの吸入側または吐出側に連通する非密閉位置となるように、前記ロータを前記キャビティが密閉空間となる位相を除外した所定角度に断続的に回転させることを特徴とする。
【００１１】
ここで、本発明の一態様に係る一軸偏心ねじポンプにおいて、前記一軸偏心ねじポンプが、雌ねじ状の内面を有する回転可能に支承されたステータと、該ステータに雄ねじ状の螺旋部が内挿されるとともに直線状の基端部がモータの駆動軸に直結されたロータとを備え、前記ロータの回転軸線が前記ステータの回転軸線に対して所定距離だけ偏心して配置されるとともに、前記ロータの回転力で前記ステータを前記ロータの二分の一の回転数で追従回転させるように構成されており、前記定置滅菌制御手段は、前記ロータを前記所定角度に断続的に回転させることで、供回りするステータを断続的に所定角度ずつ回転させることは好ましい。
また、本発明の一態様に係る一軸偏心ねじポンプにおいて、前記ステータ両側から前記ステータ内に蒸気を導入する蒸気導入管路が配管されていることは好ましい。
【発明の効果】
【００１２】
本発明によれば、ロータとステータ間に画成されるキャビティが一か所のみ設けられるものを対象とし、その定置滅菌をおこなうときに、一か所のキャビティがステータの吸入側または吐出側に連通する非密閉状態となるように、ロータをキャビティが密閉空間となる位相を除外した所定角度に断続的に回転させるので、ロータとステータにより蒸気が密閉封印された空間を構成する位置がなくなり、ステータ内部全体に蒸気をいきわたらせることができる。そのため、蒸気による定置滅菌を行う場合でも、これまで困難とされたステータ内部の滅菌も確実に行うことができる。
【図面の簡単な説明】
【００１３】
【図１】本発明の一態様に係る一軸偏心ねじポンプの一実施形態の説明図である。なお、同図は軸線を含む断面を示している。
【図２】ロータとステータの通常の位相状態（ロータとステータで蒸気が密閉封印された空間を形成する位相状態）の説明図である。
【図３】本発明のロータとステータの位置制御された位相状態（蒸気が密閉封印された空間を形成しない位相状態）の説明図である。
【図４】駆動軸とロータとの間に自在継手を用いた従来の一軸偏心ねじポンプの一例を説明する図であり、同図は軸線を含む断面を示している。
【発明を実施するための形態】
【００１４】
以下、本発明の一実施形態について、図面を適宜参照しつつ説明する。
図１に示すように、この一軸偏心ねじポンプ１は、モータ４０のケーシングを兼ねるブラケット１１をポンプ側に有している。つまり、このモータ４０は、ケーシングとして、軸方向中央の胴部４５と、胴部４５の後端を覆う後部４６と、胴部４５の前端を覆うブラケット１１とを有している。
【００１５】
胴部４５内には、モータ４０のシャフト４３が、胴部４５の前方および後部４６との間で軸受４４、４４によって両持ち状態で回転自在に支持されている。モータ４０の軸受構造は、後述のロータ２にかかるスラスト荷重やラジアル荷重を十分に受けられ、さらに８０℃〜１３０℃の高温にも耐えられるものである。
シャフト４３は、自身軸方向に沿って単一の内径で同軸に貫通形成された貫通穴４３ａを有する。シャフト４３の外周には永久磁石４１が設けられ、この永久磁石４１に対して対向方向に隙間を隔てて胴部４５内に固定子４２が配置されることで、永久磁石ブラシレスモータが構成されている。この永久磁石ブラシレスモータは、モータ回転数が５０〜１０００ｍｉｎ−１の回転領域において当該一軸偏心ねじポンプ１に必要とされるトルクを十分に出力できるものである。
【００１６】
ブラケット１１には、ポンプ側となる前側端面１１ａに、ポンプのハウジング７が装着されている。ハウジング７は、吸込側（同図の右側）から順に、吸込部７ａ、本体部７ｂおよび吐出部７ｃを備えて構成されている。ハウジング７の吸込部７ａには圧送流体である食料原料などの粘性液（輸送物）の吸込口８が形成され、また、吐出部７ｃには粘性液の吐出口９が形成されている。
【００１７】
ここで、吸込部７ａ、および吐出部７ｃには、後述する定置滅菌モード（定置滅菌制御）を実行する際に、高温（例えば１２０℃〜１３０℃）の蒸気を導入可能に付設された蒸気導入管路１０が配管されている。蒸気導入管路１０は、自身の途中部分に開閉弁１０ａを有する。開閉弁１０ａは、通常運転状態（後述する通常モード（通常制御））においては閉じられる。一方、定置滅菌モード（定置滅菌制御）においては開いた状態とされ、吸込部７ａと吐出部７ｃ相互が蒸気導入管路１０によって連通状態とされるようになっている。
【００１８】
なお、ブラケット１１の前側端面１１ａと吸込部７ａ相互、吸込部７ａと本体部７ｂ、および本体部７ｂと吐出部７ｃ相互は、周知のへルールクランプ２２によって着脱可能に固定されている。そして、この一軸偏心ねじポンプ１は、ハウジング７内に、雌ねじ状の内面をもつステータ４と、このステータ４内に雄ねじ状の螺旋部２ａが内装されるロータ２とを備えている。
【００１９】
詳しくは、ロータ２は、先端側に形成された螺旋部２ａと、直線状の基端部２ｂとを一体に有する。ロータ２の螺旋部２ａは、自身の回転軸線Ｌ２に対して偏心した円形断面を有している。基端部２ｂの途中部分とブラケット１１との間、並びに、吸込部７ａおよび吐出部７ｃとステータ外筒４ｂ（後述する）との間には、サニタリー性を有するシール３０、３１がそれぞれ設けられている。シール３０は、吸込口８から流入した粘性液が、ロータ２の基端部２ｂとハウジング７の吸込部７ａとの間の隙間を通ってブラケット１１内に流入するのを阻止している。
【００２０】
ロータ２は、基端部２ｂの段部２ｆよりも後方が一回り細径とされ、この細径部分が駆動軸２ｃとして一体に形成されている。この駆動軸２ｃは、上記シャフト４３の貫通穴４３ａにスラスト方向にスライド移動可能且つ同軸に挿入可能に形成されている。駆動軸２ｃの後端には、雌ねじ２ｅが形成されている。これにより、シャフト４３の後端面４３ｂに対してワッシャ５１を介してボルト５０を雌ねじ２ｅに締めこむことで、段部２ｆがシャフト４３の前端面４３aに当接した位置で軸方向の位置が規定される。なお、シャフト４３と駆動軸２ｃとは、キー４７によって相互の回転方向への移動が拘束されて一体で回転するようにされている。これにより、ロータ２は、駆動軸２ｃが貫通穴４３ａに挿入された状態で固定されることにより、減速機等を介さずにシャフト４３と駆動軸２ｃを直接接続し、ロータ２がモータ４０のシャフト４３の両側の軸受４４、４４によって片持ち構造に支承されている。
【００２１】
ステータ４は、その両端が、ラジアル荷重とスラスト荷重をうけることができる転がり軸受５、６を介して上記ハウジング７内に回転自在に支承されている。この例では、ハウジング７を構成する本体部７ｂの内周面には、凹の段部７ｔが形成されている。また、ステータ４自身の外周面（後述するステータ外筒４ｂ）には、その外周面に、転がり軸受５、６がそれぞれ外嵌される段部４ｕが両端に形成され、これら段部４ｕおよび７ｔによって、軸受５、６の移動が拘束されている。
【００２２】
また、このステータ４は、軸方向の中央に配設された一つのステータ内筒４ａと、ステータ内筒４ａの外周面を覆って一体に形成されているステータ外筒４ｂとを有する。ステータ内筒４ａはエラストマー製であり、ステータ外筒４ｂは金属製である。ステータ内筒４ａは、雌ねじ状の内面が一定の肉厚になるようにステータ外筒４ｂの内周面に一体にモールド成形されている。モールド成形された雌ねじ状の螺旋部４ｅは、その雌ねじ状のピッチがロータ２の螺旋部２ａの２倍である。ステータ４の螺旋部４ｅは長円形断面を有し、ロータ２の回転軸線Ｌ２は、ステータ４の回転軸線Ｌ１に対して所定の偏心量Ｅだけ偏心するように配置され、ロータ２の二分の一の回転数でステータ４が追従回転するようになっている。
【００２３】
そして、上記ロータ２の螺旋部２ａが、雌ねじ状の長円形断面の螺旋部４ｅを内面に形成したステータ４に内装され、ロータ２の螺旋部２ａとステータ４の螺旋部４ｅとの対向空間によりキャビティ３が画成される。この一軸偏心ねじポンプ１は、ロータ２とステータ４相互の対向する空間により画成されるキャビティ３が一か所のみ設けられている。なお、ステータ４の軸方向の長さは、キャビティ３を一か所形成するのに必要な長さに加えて余裕代分の長さが付加されている。
【００２４】
ここで、上記モータ４０は、自身の回転角度（位相情報）を検出する不図示の位相検出部（例えば磁気センサ）を有する。この位相検出部により検出された位相情報はモータドライバ回路等を含むモータ駆動部（不図示）に入力される。モータドライバ部は、モータ４０の回転角度を監視しつつ、検出された位相情報に基づくフィードバック制御によりモータ４０を駆動可能とされている。
【００２５】
そして、このモータ駆動部は、図２に示す通常モード（通常制御）と、図３に示す定置滅菌モード（定置滅菌制御）が選択可能に設定されている。つまり、モータ駆動部は、図２に示す通常モード（通常制御）では、モータ４０を連続的に駆動して駆動軸２ｃが回転駆動される。駆動軸２ｃが回転すると、ロータ２はその回転軸線Ｌ２を中心として回転し、ロータ２の螺旋部２ａの動きに伴ってステータ４もその回転軸線Ｌ１を中心としてロータ２の回転と同期して従動回転することにより、粘性液を吸込口８から吐出口９へ圧送する。このときの上記一か所のキャビティ３は、基本的には密封空間を形成するようにモータ駆動部により駆動制御される。なお、キャビティ３が完全に密封空間を形成しない位相であってもポンプ機能が損なわれるものではない。
【００２６】
一方、このモータ駆動部は、図３に示す定置滅菌モード（定置滅菌制御）が設定されて実行されたときは、モータ４０を断続的に所定角度ずつ回転させる。ここで、この断続的回転制御は、一か所のキャビティ３がステータの吸入側および吐出側のいずれかに連通することで、同図に示すような非密閉状態となるように、キャビティ３が密閉空間となる位相を除外した所定角度にてロータを断続的に回転させて、供回りするステータを断続的に所定角度ずつ追従回転させるように制御する。なお、キャビティ３が密閉空間となる位相は予め判明しているので、モータ駆動部は、検出された位相情報に基づくフィードバック制御により密閉空間となる位相を確実に回避することができる。なお、モータ駆動部が監視する位相は、密閉空間となる位相を一定点観測することで制御することができる。
【００２７】
具体的には、例えば図２に示す例では、同図のステータ４の最も右側での位相（同図での（ａ））において、ステータ４の上部にロータ２の上部が一致した図が示されているが、この位相で回転されたときキャビティ３が密封空間とされるときである（これを監視の定点とする）。この監視定点のとき、吸込口８に導入された注入側蒸気Ａと、吸込口８から蒸気導入管路１０を介して吐出口９に導かれる吐出側蒸気Ｂとは、密封空間とされたキャビティ３内の密封蒸気Ｃによって分断された状態となる。これに対し、図３に示すように、図２に対応するステータ４の最も右側での位相において、図３（ａ）ではロータ２が傾いた位置とされることで位相が上記監視定点とは異なる。そして、このような位置とすることにより、以降の位相もずれることから、キャビティ３を非密封空間とすることができる。つまり、上記監視定点以外の位相であれば、注入側蒸気Ａと、吐出側蒸気Ｂとは、キャビティ３の非密封部を介して連通状態とされる。したがって、ステータ４全体に蒸気を行き渡らせることができる。そして、ロータ２の間欠運転によりシールライン（ステータ４とロータ２との接触部分）も順次に移動していくので、局部的に高温蒸気に連続してさらされることも防止される。
【００２８】
次に、この一軸偏心ねじポンプの動作およびその作用・効果について説明する。
この一軸偏心ねじポンプ１は、駆動軸２ｃが一体をなして直結された雄ねじ状の螺旋部２ａを有するロータ２と、回転可能に支承されるとともにその回転軸線Ｌ１がロータ２の回転軸線Ｌ２に対して偏心して配置される雌ねじ状の螺旋部４ｅを内面に有するステータ４とを備え、ロータ２が回転しつつステータ４の軸心に対して偏心運動を行うことによって粘性液を吸入側から吐出側へ圧送する構成なので、モータ駆動部が実行する駆動制御が通常モード（通常制御）のときは、モータ４０の駆動によってシャフト４３を回転させて駆動軸２ｃが回転すると、ロータ２はその回転軸線Ｌ２を中心として回転し、ロータ２の螺旋部２ａの動きに伴ってステータ４もその回転軸線Ｌ１を中心としてロータ２の回転と同期して従動回転することにより、粘性液を吸込口８から吐出口９へ圧送することができる。
【００２９】
このように、この一軸偏心ねじポンプ１によれば、自在継手を用いない構成とすることができるので、構造が簡単であり、特に食品の圧送においては、自在継手のデッドスペースの洗浄の問題も解消され、吸入側の吸込み部における粘性液の流入も阻害されず、定置洗浄も容易である。
【００３０】
そして、この一軸偏心ねじポンプ１によれば、例えば１２０℃〜１３０℃の蒸気を用いた定置滅菌を行う場合でも、効果的に定置滅菌を行うことができる。
つまり、この一軸偏心ねじポンプ１は、ロータ２とステータ４間に画成されるキャビティ３が一か所のみ設けられ、モータ駆動部は、定置滅菌モード（定置滅菌制御）では、定置滅菌をおこなうときに、その一か所のキャビティ３がステータ４の吸入側または吐出側に連通する非密閉状態となるように、ロータ２をキャビティ３が密閉空間となる位相を除外した所定角度に断続的に回転させて、供回りするステータ４を断続的に所定角度ずつ回転させるので、キャビティ３が、ロータ２とステータ４により蒸気が密閉封印された空間を構成する位置を無くすことができる。
【００３１】
そして、この一軸偏心ねじポンプ１は、吸込部７ａ、および吐出部７ｃに、蒸気を導入可能に付設されて開閉弁１０ａを有する蒸気導入管路１０が配管されているので、定置滅菌モード（定置滅菌制御）に際して、開閉弁１０ａを開けばステータ４の両側から蒸気を導入することができ、ステータ４の内部全体に蒸気をいきわたらせることができる。そのため、蒸気による定置滅菌を行う場合でも、これまで困難とされたステータ４内部の滅菌も確実に行うことができる。
なお、本発明に係る一軸偏心ねじポンプは、上記実施形態に限定されるものではなく、本発明の趣旨を逸脱しなければ種々の変形が可能であることは勿論である。
【００３２】
例えば、上記実施形態では、一軸偏心ねじポンプ１が、雌ねじ状の内面を有する回転可能に支承されたステータ４と、ステータ４に雄ねじ状の螺旋部が内挿されるとともに直線状の基端部がモータ４０の駆動軸に直結されたロータ２とを備え、ロータ２の回転軸線がステータ４の回転軸線に対して所定距離だけ偏心して配置されるとともに、ロータ２の回転力でステータ４をロータ２の二分の一の回転数で追従回転させるように構成されたものを例に説明したが、本発明はこれに限定されない。
【００３３】
つまり、本発明の主要構成は、画成されるキャビティが一か所のみ設けられる、１段（１ピッチ）型の一軸偏心ねじポンプにおいて、一か所のキャビティに対して密閉空間となる位相を除外した所定角度（２箇所がシールとならないロータ角度）に管理し、その所定角度で吸入側と吐出側から高温蒸気を供給する点にある。よって、この主要構成は、上記実施形態のようにステータが従動回転するタイプと、特許文献１を例に説明した、従来ながらのステータが固定でロータが自在継手によって偏心回転するタイプの両方で有効である。しかし、上述のように、本実施形態のような、ステータが従動回転するタイプの方が、ステータが固定でロータが自在継手によって偏心回転するタイプに比べるとサニタリー性が格段に優れており、この一軸偏心ねじポンプ１によれば、例えば１２０℃〜１３０℃の蒸気を用いた定置滅菌を行う場合に、効果的に定置滅菌を行う上でより好適である。
【符号の説明】
【００３４】
１    一軸偏心ねじポンプ
２    ロータ
３    キャビティ
４    ステータ
５    転がり軸受
７    ハウジング
８    吸込口
９    吐出口
１０    蒸気導入管路
１１    ブラケット
３０    シール
４０    モータ
４１    永久磁石
４２    固定子
４３    シャフト
４４    軸受
Ａ    注入側蒸気
Ｂ    吐出側蒸気
Ｃ    密封蒸気
Ｅ    偏心量
Ｌ１    回転軸線
Ｌ２    回転軸線
【図１】
2014005767.tif 000003
【図２】
2014005767.tif 000004
【図３】
2014005767.tif 000005
【図４】
2014005767.tif 000006